(57)【要約】 【課題】  紙幣処理装置の防盗性を向上する。【解決手段】  紙幣処理装置１は、装置本体に対して着脱自在に取付された紙幣収納部４と、該装置本体の前面側に配設され、紙幣挿入口が形成されるフロントパネル１０と、紙幣収納部４を装置１に対して着脱可能に固定する支持手段５を具える。支持手段５は、フロントパネル１０に対する外部からの衝撃に応じて、紙幣収納部４の固定を解除する機構を有しており、支持手段５による紙幣収納部４の固定が解除されると、該紙幣収納部４は装置１の本体から外れる。フロントパネル１０を破壊しようとすると、その破壊衝撃に応じて紙幣収納部４が外れ落ちるので、破壊箇所から紙幣収納部４内の紙幣を抜き出す不正行為を効果的に阻む。【選択図】  図１
2007034407.tif 000002
【特許請求の範囲】
【請求項１】
装置本体に対して着脱自在に取り付けされた紙幣収納部と、該装置本体の前面側に配設され、紙幣挿入口が形成されるフロントパネルと、を具備する紙幣処理装置において、
前記紙幣収納部を前記装置本体に対して着脱可能に固定する支持手段であって、前記フロントパネルに対する外部からの衝撃に応じて、前記紙幣収納部の固定を解除するものを具え、
前記支持手段による前記紙幣収納部の固定が解除されることで、該紙幣収納部が前記装置本体から外れることを特徴とする紙幣収納装置。
【請求項２】
前記支持手段は、前記フロントパネルに連結され、該フロントパネルの変位に連動して変位するアームと、該アームと前記紙幣収納部の間に介在し、紙幣収納部を着脱可能に枢支する軸受部とから構成され、
前記フロントパネルに対する外部からの衝撃に応じて、前記アームが変位することで、前記軸受部による前記紙幣収納部の枢支が解除されることを特徴とする請求項１に記載の紙幣処理装置。
【発明の詳細な説明】
【技術分野】
【０００１】
この発明は、自動販売機、両替機、あるいは遊戯機器等に搭載され、投入された紙幣を収納する紙幣収納部を具えた紙幣処理装置に関する。
【背景技術】
【０００２】
一般に、紙幣を取り扱う自動販売機等には、投入された紙幣の真偽を識別し、真券と判定された紙幣のみを受け入れるようにした紙幣処理装置が搭載されている。従来の紙幣処理装置は、例えば、本体ケース内において、紙幣搬送部、紙幣識別部、紙幣収納部等を具備するとともに、該本体ケースの前面側に、紙幣挿入口が形成された合成樹脂製のフロントパネルが配設される。このような紙幣処理装置は、取り付けされる自動販売機等に対して、該自動販売機等の正面に前記フロントパネルを露呈させるよう設置されていた。
ところで、従来より、この種の紙幣処理装置を搭載した自動販売機等においては、ロケーション先に設置された該自動販売機等に対して、その正面に露呈されている樹脂製のフロントパネル（紙幣挿入口）を、例えばバール、ハンマー等の工具類を用いて破壊して、その破壊個所より本体ケース内を露出せしめ、該本体ケース内の紙幣収納部から収納された紙幣を盗み出す不正行為が、非常にしばしば発生していた。こうした盗難に対する防盗策として、従来から、本体ケースに金属枠を追加装備したり、或いはフロントパネルの外側に金属枠を被せて補強する措置が講じられることがあった。この種の防盗策を施した紙幣処理装置の一例として、下記特許文献１には、フロントパネルの裏面に補強用の金属フレームを裏張りした構成が開示されている。
【特許文献１】特開平９−０１３４４６５号公報
【０００３】
何れにせよ、従来は、プラスチック等の合成樹脂からなるフロントパネルを金属フレーム等により補強することで、破壊行為に対するフロントパネルの耐性を高めて、防盗性を向上させるという思想のもと種々の対策を講じていた。そのため従来の技術では、フロントパネルの耐性を越える破壊衝撃によってフロントパネルが壊されてしまえば、結局、紙幣収納部に収納された紙幣の盗難を防止することができなかった。
【発明の開示】
【発明が解決しようとする課題】
【０００４】
この発明は、上述の点に鑑みてなされたもので、フロントパネルを破壊して紙幣収納部から紙幣を盗む不正行為から収納済み紙幣を守ることのできる紙幣処理装置を提供しようとするものである。
【課題を解決するための手段】
【０００５】
この発明は、装置本体に対して着脱自在に取付された紙幣収納部と、該装置本体の前面側に配設され、紙幣挿入口が形成されるフロントパネルと、を具備する紙幣処理装置において、前記紙幣収納部を前記装置本体に対して着脱可能に固定する支持手段であって、前記フロントパネルに対する外部からの衝撃に応じて、前記紙幣収納部の固定を解除するものを具え、前記支持手段による前記紙幣収納部の固定が解除されることで、該紙幣収納部が前記装置本体から外れることを特徴とする。
【発明の効果】
【０００６】
この発明によれば、フロントパネルに対する外部からの衝撃に応じて、支持手段による紙幣収納部の装置本体に対する固定が解除され、該紙幣収納部が該装置本体から外れるようになっている。この紙幣処理装置を搭載した自動販売機等においては、紙幣処理装置のフロントパネルが打擲等により破壊された場合、該フロントパネルに加えられた破壊衝撃により、紙幣収納部の装置本体に対する固定が解除されて、紙幣収納部は、装置本体から外れて重力方向へ落下する。このように紙幣収納部が装置本体から外れ落ちることで、フロントパネルの破壊個所から装置本体内に手を差し込む等して、紙幣収納部に収納された紙幣を盗り出すことを可及的阻止できる。よって、前述したような、フロントパネルを壊して紙幣収納部に収納された紙幣を盗む不正行為に対する防盗性が向上するという優れた効果を奏する。
【発明を実施するための最良の形態】
【０００７】
以下、添付図面を参照して、この発明の一実施例について説明する。
図１は、この発明の一実施例に係る紙幣処理装置１の内部構造を示す概略側面図である。図１に示すように、この紙幣処理装置１は、概ね、外部から紙幣を投入するための紙幣挿入口２を具える本体ケース３と、この本体ケース３に対して着脱自在に装着された、複数葉の紙幣を収納しうる紙幣収納部４とから構成されるとともに、該紙幣収納部４を本体ケース３に対して着脱可能に固定するための支持手段５を具える。この本体ケース３内には、前記挿入口２から挿入された紙幣を該紙幣収納部４へ搬送する紙幣搬送手段６や、該紙幣搬送手段６により搬送される紙幣の真偽を判定する紙幣識別手段７等が組み込まれており、挿入された紙幣の真偽判別の結果、真券と判別された紙幣のみを紙幣収納部４内に収容しうるよう構成されている。
【０００８】
本体ケース３の前面の所定個所には、例えばプラスチック等の合成樹脂からなるフロントパネル１０が配設され、このフロントパネル１０上に紙幣挿入口２が形成される。フロントパネル１０には、この紙幣挿入口２から挿入された紙幣を紙幣搬送手段６へ案内するための紙幣通路２ａに沿って、紙幣案内シュート１１が成形される。なお、当該紙幣処理装置１は、図示しない自動販売機等に対して取り付けられるものであり、該自動販売機等の正面においてフロントパネル１０を露呈するよう装着される。
【０００９】
支持手段５は、アーム８と軸受部９とから構成され、紙幣収納部４を本体ケース３に対して固定し、前記フロントパネル１０に対して、打擲等により衝撃が与えられた際に、紙幣収納部４の固定を解除して、収納部４を本体ケース３から脱離せしめるものである。アーム８は、本体ケース３の長さ方向に沿って延び、該ケース３に対して軸８ａを支点として回動自在に支持されており、その上端部にてフロントパネル１０に連結され、また、下端部にて軸受部９に当接する。図１に示すように、前記アーム８の上端部は、前記紙幣通路２ａの下面側を成す紙幣案内シュート１１から一体的に延びたアーム支持部１２により支持される。図示の例では、このアーム支持部１２の所定個所に、アーム８を嵌挿するための孔部１２ａが設けられており、アーム８は、この孔部１２ａを介して、フロントパネル１０に対して連結される。
【００１０】
軸受部９は、本体ケース３下方の所定個所において、該本体ケース３に対して軸９ａを支点として回動自在に設けられており、その一端部にて前記アーム８の下端部が当接されており（この当接個所を符号９ｂで示す）、他方の端部にて、紙幣収納部４の下方側面に突設された突起４ａを支持する。また、軸受部９は、回転用バネ１３により図において反時計方向に回転するよう常時付勢されているが、図１に示す状態では、軸受部９の端部がアーム８に当接しているので、回転用バネ１３の付勢による回転は抑制されている。従って、図１に示す状態では、軸受部９は紙幣収納部４を保持する位置に留まる。
なお、この実施例では、当該紙幣処理装置１には、支持手段５（つまりアーム８及び軸受部９）として、紙幣収納部４の左右両側に対応して２つの支持手段５が具備されており、これに対応して、紙幣収納部４の左右両側面に夫々、２つの突起４ａが具備される。紙幣収納部４は、この２つの突起４ａを支点として回動自在に枢支されることで、本体ケース３に対して取り付けられる。
【００１１】
ここで、本体ケース３に対する紙幣収納部４の取り付け例について図２を参照して簡単に説明する。図２は、当該紙幣処理装置１の本体ケース３と、これに取り付けされる紙幣収納部４とを背面側（図１における該処理装置１の右側）から見た概略斜視図である。図２において、紙幣収納部４の上方には、本体ケース３に対する紙幣収納部４の取り付け・取り外しを行うためのラッチレバー３０が設置されており、該収納部４の左右両側面部の所定個所には、該ラッチレバー３０に連動するボス３１が夫々具備される。このボス３１は例えばバネ（図示せず）等によって上方に付勢される。一方、本体ケース３の左右内側面において、前記ボス３１と夫々係合する係止部３２が、該ボス３１に対応する個所に突設される。また、前述の通り、紙幣収納部４の左右両側面の下方の所定個所には、軸受部９に係合する突起４ａが設けられており、紙幣収納部４は、該軸受部９によって支持された突起４ａを支点として、本体ケース３に対して回動自在に保持される。
【００１２】
本体ケース３に対して紙幣収納部４を取り付ける際は、紙幣収納部４の各突起４ａを対応する軸受部９に係合させることで、紙幣収納部４を軸受部９により下側から支持し、該軸受部９に枢支された突起４ａを回転軸として紙幣収納部４を前方へ（本体ケース３の方へ）回転させることで、ボス３１を係止部３２に係合させる。すなわち、紙幣収納部４は、係止部３２の個所で前後方向について固定され、また、軸受部９により下側から支持されることで、本体ケース３に対して固定される。一方、本体ケース３から紙幣収納部４を取り外す際は、ラッチレバー３０を下方に押し下げると、これに連動してボス３１が下方へ変位して、係止部３２の個所での係合が解かれるので、紙幣収納部４は、突起４ａを支点にして後方へ回動可能となる。そして、紙幣収納部４を、突起４ａを支点にして後方へ回動させることで、本体ケース３から該収納部４を取り外すことができる。
【００１３】
次に、本発明に係る紙幣処理装置１の概略動作を、図１及び図３を参照して説明する。図３は、図１の紙幣処理装置１において、支持手段５による紙幣収納部の固定が解除された状態を示す概略側面図である。フロントパネル１０の正面側から、これを破壊すべく打擲等により衝撃が加えられた場合、その破壊衝撃は、フロントパネル１０に対して、図１に矢印Ｓで示す向きに作用し、これに応じて紙幣案内シュート１１が、矢印Ｓ方向に押動若しくは変位される。紙幣案内シュート１１が矢印Ｓ方向に押動・変位されると、該シュート１１に連結されたアーム８は、図３に示すように、該シュート１１の押動・変位に連動して軸８ａを支点として矢印Ｘ方向へ回転変位する。
アーム８が矢印Ｘ方向へ回転すると、アーム８の下端部は矢印Ｘ’方向に変位して、軸受部９との当接個所（図１において符号９ｂで示す個所）から外れる。これにより、アーム８による軸受部９の回転の抑制が解除されるので、軸受部９は、バネ１３の付勢力により矢印Ｙ方向へ回転する。図３に示すように、軸受部９が回転変位すると、該軸受部９による紙幣収納部４の保持が解かれるので、紙幣収納部４は、本体ケース３から離脱可能となり、自重により下方（重力方向ｇ）へ落下する。すなわち、フロントパネル１０に対して外部から加えられた衝撃により、支持手段５による紙幣収納部４の本体ケース３に対する固定が解除されて、紙幣収納部４が本体ケース３から外れ落ちる。これにより、フロントパネル１０を破壊して本体ケース３に不正な開口を穿ったとしても、紙幣収納部４は、その破壊衝撃によって本体ケース３から外され落ちて、フロントパネル１０に穿たれた該開口個所から隔離されるので、該収納部４内に収納された紙幣を盗難から保護することができる。
【００１４】
なお、上述の実施例では、一例として、軸受部９は、回転用バネ１３により矢印Ｙ方向に回転するよう常時付勢されるものとしたが、バネ１３のような軸受部を回転させるための付勢手段の設置は任意である。すなわち、軸受部９は、単に軸９ａを支点にして回動自在に構成されるものとし、アーム８の回転変位に応じて、紙幣収納部４の自重によって軸受部９による支持を解く（すなわち、紙幣収納部４の自重によって軸受部９を回転させる）ように構成してもよい。
また、上述の実施例では、前記アーム支持部１２において、アーム８を嵌挿するための孔部１２ａを設け、この孔部１２ａにアーム８を嵌挿することをもって、フロントパネル１０とアーム８とを連結する構成例を示したが、これに限らず、フロントパネル１０に加えられた衝撃に連動して、アーム８が変位する構成であればよい。
【００１５】
また、上述の実施例では、支持手段５は、アーム８と軸受部９とから構成されるものとしたが、これに限らず、フロントパネル１０に対する外部からの衝撃に応じて、紙幣収納部４の固定を解除するものであればよい。
【００１６】
以上説明した通り、この発明によれば、自動販売機等に搭載される紙幣処理装置において、フロントパネルに対する外部からの衝撃に応じて紙幣収納部の固定が解除されて、該紙幣収納部が装置本体から外れるようにしたことで、フロントパネルを破壊して収容済み紙幣を盗み出す盗難に対する防盗性が向上する、という優れた効果を奏する。
【図面の簡単な説明】
【００１７】
【図１】本発明の一実施例に係る紙幣処理装置の内部構造を示す概略側面図。
【図２】同実施例に係る紙幣処理装置において、本体ケースに対する紙幣収納部の取り付け例を示す概略斜視図
【図３】図１に示す紙幣処理装置において支持手段による紙幣収納部の固定が解除された状態を示す概略側面図。
【符号の説明】
【００１８】
１  紙幣処理装置，２  紙幣挿入口，３本体ケース（装置本体），４  紙幣収納部，５  支持手段，６  紙幣搬送手段，７  紙幣識別手段，８  アーム，９  軸受部，１０  フロントパネル
【図１】
2007034407.tif 000003
【図２】
2007034407.tif 000004
【図３】
2007034407.tif 000005